(57)【要約】【課題】  デジタル放送受信機におけるリモートコントローラ上のカラーボタン、数字ボタンを持たない入力装置を用いて、カラー入力、および数字入力を実現する。【解決手段】  データ放送を表示している時に、回転手段とジョイスティック手段を備えた入力手段を操作することにより、データ入力のための情報を表示する子画面を前記データ放送の表示に重ねて表示し、回転手段を操作することによりデータ入力のための情報を子画面に順次表示させ、ジョイスティック手段によりデータの入力確定を行う。【選択図】        図１
2006237830.tif 000002
【特許請求の範囲】
【請求項１】
データ放送を表示している時に、回転手段とジョイスティック手段を備えた入力手段を操作することにより、データ入力のために必要な情報を表示する子画面を前記データ放送の表示画面のうち、前記情報を選択する時に必要となる範囲に重ならないように表示する子画面表示方法
【請求項２】
回転手段を回転することで、子画面を表示することを特徴とする請求項１に記載の子画面表示方法。
【請求項３】
ジョイスティック手段をいずれかの方向に傾けるまたは押下する操作をすることで、子画面を表示することを特徴とする請求項１に記載の子画面表示方法
【請求項４】
一度の入力手段の操作で、子画面の表示と前記子画面にデータ入力のために必要な情報の表示とを同時に行うことを特徴とする請求項１ないし３のいずれかに記載の子画面表示方法。
【請求項５】
子画面に希望のデータを表示後、ジョイスティック手段を押下することで前記希望のデータの入力を確定することを特徴とする請求項１ないし４のいずれかに記載の子画面表示方法。
【請求項６】
回転手段を、子画面を表示するときに回転する回転方向と逆に回転することにより、前記子画面の表示を消去することを特徴とする請求項１ないし５のいずれかに記載の子画面表示方法。
【請求項７】
子画面の表示を消去した後、ジョイスティック手段をいずれかの方向に傾けるまたは押下する操作をすることでデータの入力を確定することを特徴とする請求項６記載の子画面表示方法。
【請求項８】
回転手段を回転することでデータ入力のために必要な色をデータ入力用子画面に順次表示させることを特徴とする請求項１ないし７のいずれかに記載の子画面表示方法。
【請求項９】
入力手段を回転することでデータ入力のために必要な数字をデータ入力用子画面に順次表示させることを特徴とする請求項１ないし７のいずれかに記載の子画面表示方法。
【請求項１０】
複数桁に数値を入力するデータ放送画面において、前記複数桁の全ての桁に１つずつ数値を入力し、子画面が全桁確定を示す表示の時、
ジョイスティック手段をいずれかの方向に傾ける、または回転手段を回転させることにより前記全ての桁に入力する数値が確定することを特徴とする請求項１ないし４のいずれかに記載の子画面表示方法。
【請求項１１】
回転手段を一方向に回転することで子画面に数字を１ずつ増加表示し、前記回転手段を前記一方向とは逆方向に回転することで数字を１ずつ減少表示させることを特徴とする請求項９または１０に記載の子画面表示方法。
【発明の詳細な説明】
【技術分野】
【０００１】
本発明は、デジタル放送受信装置に関し、操作性にすぐれた入力装置と入力画面を有し、特にデータ放送カラーボタン及び、数字ボタンを使用してデータ入力を行う際に、データ放送の表示が入力画面で妨げられない入力手段を持つ受信装置に関する。
【背景技術】
【０００２】
デジタル放送では、通常のＴＶ放送とデータ放送の情報が配信されているが、一般的には通常のＴＶ放送とデータ放送の情報は同時に表示装置に表示されることはなく、どちらか１つの放送画面が表示装置に表示される。但し、データ放送画面に重ねて通常のＴＶ放送が子画面で表示されることがある。またデジタル放送では、双方向のデータやりとりが可能であり、視聴者側から、デジタル放送送信側へデータを送信することが可能である。データ放送画面が表示装置に表示されている時に視聴者がデータ入力を行う場合、データ入力画面はデータ放送画面に重ねて表示される。
【０００３】
デジタル放送に対応する従来の送受信装置の一般的なリモートコントローラを図９に示す。一般的なリモートコントローラ１７には、ｄボタン１８，数字ボタン１９、方向ボタン２０及びカラーボタン２１が「仕様書ＡＲＩＢ  ＴＲ−Ｂ１４」で取り付けておくよう規定されている。ｄボタン１８はＴＶ放送画面からデータ放送画面へ、また、データ放送画面からＴＶ放送画面に切り替える際に使用するボタンである。数字ボタン１９はＴＶチャンネンル選局以外に、データ放送において例えば特定地域の天気予報を表示するためにその地域の郵便番号を入力するためや、例えばクイズ番組の回答番号を入力するため等に使用される。方向ボタン２０は、データ放送画面にてカーソル移動及び入力決定のためなどに使用される。カラーボタン２１は、「青」、「赤」、「緑」、「黄」の４つのボタンから構成され、データ放送画面で項目の選択などに使用される。
【０００４】
一方、車載用のデジタル放送受信装置が今後普及すると思われるが、車載用のリモートコントローラは、図９に示したような各ボタンを全て備えた従来の固定受信機のリモートコントローラのような大きなサイズであると邪魔になってしまう。そのため必要最小限の入力ボタンとする必要がある。
【０００５】
図９に示すようなリモートコントローラに代わり、操作性に優れた入力装置が商品化されており、このような入力装置を装備したカーナビゲーション一体型ＴＶが商品化されている。（例えば、非特許文献１）。
【０００６】
【非特許文献１】プログレッシブコマンダー、「２００５年１月２９日検索」、インターネット＜ＵＲＬ:http://www.honda.co.jp/auto-lineup/odyssey/equipment/navi.html＞
【発明の開示】
【発明が解決しようとする課題】
【０００７】
デジタル放送受信装置において、図９に示すようなリモートコントローラを使用せず、非特許文献１に示すような入力装置を用いた場合は、図９に示すカラーボタン、数字入力ボタンが無いため、データ放送におけるカラーボタン入力や数字入力を行う際にはデータ放送画面の上にデータ入力画面（カラーボタン選択画面や数字ボタン選択画面）を重ねて表示させることになり、データ入力画面によってデータ放送画面が隠れてしまい、非常に入力操作が困難となる。
【０００８】
そこで本発明は、図９に示すようなリモートコントローラを使用しない入力装置を用いた場合でも、データ放送画面がデータ入力画面によって隠れてしまう領域を少なくし、カラーボタン入力操作及び数字ボタン入力操作が容易な方法を提供することを目的とする。
【課題を解決するための手段】
【０００９】
本発明に係る入力方法は、左右に回転して項目を選択する回転手段と、倒す方向にカーソル移動することで項目を選択し、押下することで項目を決定するジョイスティック手段を備える入力装置と、デジタル放送を表示する等の表示装置とを備え、表示装置が表示する画面は、データ放送サービス時に入力するカラーボタン入力画面と数字ボタン入力画面とを備える。
【発明の効果】
【００１０】
本発明に係る入力方法によれば、単純な入力操作で、データ入力画面でデータ放送画面をほとんど隠すことなくカラーボタン入力、数字ボタン入力と同じ効果のある作業を行うことが可能である。
【発明を実施するための最良の形態】
【００１１】
実施の形態１．
図１は、実施の形態１におけるデジタル放送受信中表示画面の状態遷移図であり、図２は、入力装置７の構成を示す図である。入力装置７は、回転部８とジョイスティック部９から構成される。
【００１２】
デジタル放送受信中表示画面の状態遷移を、図１、図２を用いて説明する。まず図１（ａ）のようにＴＶ放送画面１が表示されている際に、ジョイスティック部９を例えば右方向に倒すことで図１（ｂ）のようにボタン選択画面４が表示される。ボタン選択画面４の中に表示される項目の１つには、ＴＶ放送からデータ放送に切り替えるまたはデータ放送からＴＶ放送に切り替えるためのｄボタン５が存在する。このボタン選択画面４でどの項目にカーソルがあるか（選択されている項目はどれか）を分かり易くするために便宜上背景色を灰色としているが、実際は他の色でも良いし、点滅させても良いし、文字を選択されていないボタンと違う色にしても良いし、ボタンの大きさが変わるようにしても良いし、これらを組み合わせしたりしても良い。
【００１３】
次に回転部８を回転させカーソル位置を他の項目位置に移動させる（図１（ｃ））。ｄボタン５にカーソル位置が移動するまで回転部８を回転させ、ｄボタン５にカーソル位置を移動させたら、ジョイスティック部９を押下する。ジョイスティック部９が押下されると図１（ｃ）のＴＶ放送画面から図１（ｄ）のデータ放送画面２に切り替わる。
【００１４】
例えば、データ放送にクイズのような４択問題を選択する情報がある場合を想定して以下説明する。データ放送画面２上にはカーソルの移動ができる項目がなく、単に、「ＸＸＸの場合はＯＯＯボタンを選択してください」等のメッセージが表示されているだけである（図１（ｄ））。図９に示したような従来の受信装置の一般的なリモートコントローラ１７を使用する場合、「ＯＯＯボタン」に対応するカラーボタン２１を押下するが、本実施の形態１では、カラーボタンを選択する子画面を表示させ、子画面に表示された「色」を選択することにより、カラーボタンを押下した時と同じ動作を実現する。
【００１５】
子画面６の表示の方法として、例えば図１（ｄ）の状態でジョイスティック部９を押下することで、カラーボタンを選択する子画面６を表示し、子画面６が表示されると同時に子画面６には「青」が表示される（図１（ｅ））。その後、選択したい「色」が子画面６に表示されるまで回転部８を回転していく。本実施の形態１では、子画面６に「黄」が表示されるまで回転部８を回転させている（図１（ｅ）→（ｆ）→（ｇ）→（ｈ））。
【００１６】
子画面６に「黄」が表示されているとき、ジョイスティック部９を押下することにより、一般的なリモートコントローラのカラーボタンの「黄」を選択したことと同じになる。
【００１７】
図１を用いて説明した子画面６に表示される「色」を選択するまでの動作について、図３を用いて詳細に説明する。まずデータ放送画面２にて子画面６が非表示の状態（Ｓ１）（図１（ｄ）対応）にてジョイスティック部９を押下すると、子画面６が表示され、子画面６には「青」が表示される（Ｓ２）（図１（ｅ）対応）。さらに順方向に回転部８を回転していくと子画面６に表示される色は「赤（図１（ｆ）対応）」（Ｓ３）、「緑（図１（ｇ）対応）」（Ｓ４）、「黄（図１（ｇ）対応）」（Ｓ５）、「青（図１（ｅ）対応）」（Ｓ２）と順次遷移していく。
【００１８】
それぞれのＳｔｅｐ（Ｓ）にてジョイスティック部９を押下すると、そのとき子画面６に表示されている色を確定（Ｓ６）する。確定（Ｓ６）の後は、子画面６に「青」が表示される（Ｓ２）。またＳ２ないしＳ５の各Ｓｔｅｐにて回転部８を逆方向に回転すると、Ｓ１に遷移し、子画面６が非表示となる（図１（ｄ）対応）。
【００１９】
以上の説明のように、実施の形態１によれば、ｄボタン、カラーボタン付きのリモートコントローラでなくても、簡単な操作でカラーボタン選択を行うことが可能となる。またデータ放送画面に重ねて表示されるデータ入力画面は子画面のみのとなるので、データ放送画面をほとんど隠すことなく入力操作を行うことが出来る。従ってデータ放送画面の視聴を妨げず入力操作をすることができる。
【００２０】
実施の形態２
図４は、実施の形態２におけるデジタル放送受信中表示画面の状態遷移図である。実施の形態１と異なる点は、子画面６を表示する時に使用する入力装置７の操作方法である。実施の形態２では、データ放送画面（図４（ｄ））から子画面６を表示（図４（ｅ））するためにジョイスティック部９を押下するのではなく回転部８の回転操作でする点が実施の形態１とは異なる。
【００２１】
図５に選択子画面の動作遷移状態を説明する。実施の形態１で説明した図３との違いは非表示状態（Ｓ１）から「青」表示状態（Ｓ２）への遷移条件が押下ではなく回転となっていることである。
【００２２】
なお、ボタン選択画面４および子画面６を表示する時、子画面で色を決定する時の入力装置７の動作は、実施の形態１、実施の形態２だけによるものではなく、ジョイスティック部９を左右上下方向に倒したり、回転部８を回転させたり、予め決めておけばどのような方法で良いことはいうまでもない。
【００２３】
以上の説明のように、実施の形態２によれば、実施の形態１と同様の効果以外に、さらにカラーボタン入力子画面を表示する操作が、カラーボタンを選択するときの操作に用いる部品と同一の部品を用いて回転操作で行うため、より操作性が高くなる。
【００２４】
実施の形態３
実施の形態３では、データ入力画面で、数字入力を行う動作を説明したものであり、データ放送における郵便番号入力を例として示したものである。図６を用いて、例えばある地域の天気予報を、郵便番号を指定することでその地域を特定して天気予報を視聴する場合を説明する。郵便番号を入力する画面がデータ放送画面１１であるとする。本実施の形態３では郵便番号の左端の桁１４から右方向に「数」を入力していく場合について説明する。
【００２５】
図６（ａ）から（ｈ）まで、データ放送画面の遷移について順を追って説明するが、デジタル放送のＴＶ放送画面からデータ放送画面が表示されるまでは、実施の形態１と同じであるので図６には含めず、説明を省略する。
【００２６】
図６に示すような数字入力を則すデータ放送画面１１に郵便番号入力画面１３が表示されている時（図６（ａ））に、図９に示したような従来の受信装置の一般的なリモートコントローラ１７を使用して「数」を入力する場合、数字ボタン１９を押下することにより「数」を入力するが、本実施の形態３では、「数」を選択する数字入力子画面を表示させ、数字入力子画面に表示された「数」を選択することにより、一般的なリモートコントローラ１７の数字ボタン１９を押下した時と同じ動作を実現する。
【００２７】
数字入力子画面１２の表示の方法として、例えば（図６（ａ））の状態で回転部８を回転することで、数字入力子画面１２が表示され、数字入力子画面１２には「１」が表示される（図６（ｂ））。さらに回転部８回転させると数字入力子画面１２に表示されている数字が１つ増加され表示される（図６（ｃ））。
【００２８】
このようにして回転部８を順回転していき、入力したい「数」を数字入力子画面１２に表示させる。図６では郵便番号入力画面１３の左端桁１４に「３」を入力する例を示している。図６（ｄ）のデータ放送画面１１において、数字入力子画面１２に「３」が表示されているが、この状態でジョイスティック部９押下すると、郵便番号入力画面１３の左端桁１４に「３」が入力され、桁１４の右隣の桁１５にカーソルが移動し、数字入力子画面１２は「１」と表示される（図６（ｅ））。
【００２９】
桁１５に「数」を設定する場合も上記で説明したように桁１４に「数」を設定した場合と同じように回転部８を順回転していき、入力したい「数」を数字入力子画面１２に表示させて、設定したい「数」が表示されている時にジョイスティック部９押下する。
【００３０】
このようにして、順次全桁の数字入力を行った後（図６（ｆ））、回転部８を逆回転すると数字入力子画面１２の表示が消去される（図６（ｇ））。ジョイスティック部９を押下することで全桁の数字入力が確定され、図６（ｈ）のようにデータ放送画面１１からデータ放送画面１６に切り替わり、郵便番号の入力が完了する。
【００３１】
図６を用いて説明した選択子画面に表示される「数」を選択するまでの動作について、図７を用いて詳細に説明する。
【００３２】
まず数字入力子画面非表示状態（Ｓ１０）において、データ放送画面が数字入力を即する画面である場合、入力装置の回転部８を順回転すると、数字入力子画面が「１」を表示する（Ｓ１１）。さらに回転部８を順回転させていくと、「１」（Ｓ１１）、「２」（Ｓ１２）、「３」（Ｓ１３）、「４」（Ｓ１４）、「５」（Ｓ１５）、「６」（Ｓ１６）、「７」（Ｓ１７）、「８」（Ｓ１８）、「９」（Ｓ１９）、「０」（Ｓ２０）と数字入力子画面１２に表示される数字が変わり、さらに順回転を行うと「１」（Ｓ１１）に表示が戻る。またＳ１１ないしＳ２０の各Ｓｔｅｐでジョイスティック部９を押下すると、１桁入力確定状態（Ｓ２１）に遷移し、次の桁入力のために再び数字入力子画面１２に「１」が表示されるＳ１１に遷移する。また各Ｓｔｅｐで回転部８を逆回転すると入力子画面非表示状態（Ｓ１０）に遷移し、数字入力子画面１２は消去される。入力子画面非表示状態（Ｓ１０）でジョイスティック部９を押下すると全桁入力確定するＳ２２に遷移する。
【００３３】
また数字入力子画面で「数」を選択するまでの動作は図８のような動作をでも良い。まず数字入力子画面非表示状態（Ｓ１０）において、データ放送画面が数字入力を即する画面であるときに入力装置の回転部８を回転すると、数字入力子画面１２が「１」を表示する（Ｓ１１）。さらに回転部８を順回転させていくと、「１」（Ｓ１１）、「２」（Ｓ１２）、「３」（Ｓ１３）、「４」（Ｓ１４）、「５」（Ｓ１５）、「６」（Ｓ１６）、「７」（Ｓ１７）、「８」（Ｓ１８）、「９」（Ｓ１９）、「０」（Ｓ２０）、「確定」（Ｓ２３）と表示が変化し、さらに順回転を行うと「１」に表示が戻る（Ｓ１１）。
【００３４】
Ｓ１１乃至Ｓ２０及びＳ２３のいずれかのとき、逆回転を行うと順回転で表示されるのとは逆の順番で数字入力子画面１２に表示される「数」が変化する。Ｓ１１乃至Ｓ２０の各表示状態で、ジョイスティック部９を押下すると１桁入力確定状態Ｓ２１に遷移し、次の桁入力のために再び「１」が表示されるＳ１１に遷移する。また「確定」表示状態Ｓ２３でジョイスティック部９を押下すると全桁入力確定状態Ｓ２２に遷移し、全桁の数字入力がデータ放送画面に反映されると共に、入力子画面非表示状態Ｓ１１に遷移し、子画面が消去される。
【００３５】
なお、数字入力用子画面１２を表示する時、数字入力用子画面１２で「数」を決定する時の入力装置７の動作は、実施の形態だけによるものではなく、ジョイスティック部９を左右上下方向に倒したり、回転部８を回転させたり、予め決めておけばどのような方法で良いことはいうまでもない。
【００３６】
以上の説明のように、実施の形態３におけるユーザインターフェースによれば、数字ボタン付きのリモートコントローラでなくても、データ放送画面の大半を隠すことなくデータ放送画面を視聴しながら数字入力を行うことが可能となる。
【図面の簡単な説明】
【００３７】
【図１】この発明の実施の形態１における子画面表示の遷移を示す図である。
【図２】この発明の実施の形態１，２，３における入力装置を示す図である。
【図３】この発明の実施の形態１における子画面表示の遷移を説明する図である。
【図４】この発明の実施の形態２における子画面表示の遷移を示す図である。
【図５】この発明の実施の形態２における子画面表示の遷移を説明する図である。
【図６】この発明の実施の形態３における数字入力子画面の遷移を示す図である。
【図７】この発明の実施の形態３における数字入力子画面の遷移を説明する図である。
【図８】この発明の実施の形態３における数字入力子画面の遷移を説明する図である。
【図９】従来のデジタル放送受信機におけるリモートコントローラを示す図である。
【符号の説明】
【００３８】
１  ＴＶ放送画面、２  データ放送画面、３  データ放送画面、４  ボタン選択画面、５  ｄボタン、６  子画面、７  入力装置、８  回転部、９  ジョイスティック部、１１  データ放送画面、１２  数字入力用子画面、１３  郵便番号入力画面、１４  桁、１５  桁、１６  データ放送画面、１７  リモートコントローラ、１８  ｄボタン、１９  数字ボタン、２０  方向ボタン、２１  カラーボタン
【図１】
2006237830.tif 000003
【図２】
2006237830.tif 000004
【図３】
2006237830.tif 000005
【図４】
2006237830.tif 000006
【図５】
2006237830.tif 000007
【図６】
2006237830.tif 000008
【図７】
2006237830.tif 000009
【図８】
2006237830.tif 000010
【図９】
2006237830.tif 000011